(57)【要約】  長さのあるラインインクジェットヘッドを効果的に洗浄するためのラインインクジェットヘッド洗浄装置であって、洗浄対象となるラインインクジェットヘッドの長さ方向に延びると共に上下方向に所定の幅を有しかつ上端に洗浄用のワイパーが固定されているワイパー固定部と、ワイパー固定部を包含する所定容積を有しかつ上面が開口された洗浄液槽と、ワイパー固定部を洗浄液槽内の洗浄液内と開口上部に位置する洗浄対象となるラインインクジェットヘッドとの間で昇降させる駆動手段と、を含む。
2017042922.tif 000002
【特許請求の範囲】
【請求項１】
洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
前記ワイパー固定部を前記洗浄液槽内の洗浄液内と前記開口上部に位置する洗浄対象となるラインインクジェットヘッドとの間で昇降させる駆動手段と、
を含むラインインクジェットヘッド洗浄装置。
【請求項２】
洗浄液格納槽と、
前記洗浄液槽内の洗浄液を前記洗浄液格納槽へ移す手段と、
前記洗浄液格納槽内の洗浄液を前記洗浄液槽へ移す手段と、
を含む請求項１に記載のラインインクジェットヘッド洗浄装置。
【請求項３】
前記ワイパー固定部の長さ方向に延びる２つの側面のそれぞれに長さ方向に延びるように形成された所定長さの第１および第２摺動溝と、
前記容器の底部に固定され、前記第１摺動溝に対して平行な第３摺動溝が形成された第１溝部材と、
前記容器の底部に固定され、前記第２摺動溝に対して平行な第４摺動溝が形成された第２溝部材と、
所定の長さを有し、前記第１摺動溝が形成されているワイパー固定部の一側面の長さ方向の一端に、一端部が回動可能に係止されていると共に、他端部が前記第３摺動溝に摺動可能に係止されている第１支持部材と、
前記所定長さを有し、長さ方向の中央が前記第１支持部材の長さ方向中央に回動可能に係止され、一端部が前記第１摺動溝に摺動可能に係止されると共に他端部が前記第１溝部材の一端に回動可能に係止されている第２支持部材と、
前記所定の長さを有し、前記第２摺動溝が形成されているワイパー固定部の他側面の長さ方向の他端に、一端部が回動可能に係止されていると共に、他端部が前記第４摺動溝に摺動可能に係止されている第３支持部材と、
前記所定長さを有し、長さ方向の中央が前記第３支持部材の長さ方向中央に回動可能に係止され、一端部が前記第２摺動溝に摺動可能に係止されると共に他端部が前記第２溝部材の他端部に回動可能に係止されている第４支持部材と、
を含む請求項１または２に記載のラインインクジェットヘッド洗浄装置。
【請求項４】
前記第１支持部材の中央と前記第２支持部材の中央を回動可能に係止する昇降部材と、前記第３支持部材の中央と前記第４支持部材の中央を回動可能に係止する昇降部材とを上下方向に移動させる手段を含む、
請求項３に記載のラインインクジェットヘッド洗浄装置。
【請求項５】
前記ワイパー固定部の長さ方向に延びる２つの側面の双方の一端部に固定され、斜め下方向に傾斜した摺動溝を有する一端側溝部材と、
前記ワイパー固定部の長さ方向に延びる２つの側面の双方の他端部に固定され、斜め下方向に傾斜した摺動溝を有する他端側溝部材と、
前記一端側溝部材および他端側溝部材のそれぞれに対応して設けられ、前記摺動溝に係合して前記摺動溝に沿って摺動する突部を有する可動部材と、
前記可動部材の全ての突部が前記摺動溝の上下同じ方向に連動して摺動するように前記可動部材の全てを前記ワイパー固定部の長さ方向に往復移動させる移動手段と、
を含む請求項１または２に記載のラインインクジェットヘッド洗浄装置。
【請求項６】
前記他端側溝部材に形成されている摺動溝は、前記一端側溝部材と対称となるように斜め下方向に傾斜している、
請求項５に記載のラインインクジェットヘッド洗浄装置。
【請求項７】
洗浄対象となるラインインクジェットヘッドの長さ方向に延びると共に上下方向に所定の幅を有しかつ上端に洗浄用のワイパーが固定されているワイパー固定部と、前記ワイパー固定部を包含する所定容積を有しかつ上面が開口された洗浄液槽とを備えたラインインクジェットヘッド洗浄装置におけるラインインクジェットヘッド洗浄方法であって、
前記ワイパー固定部を前記洗浄液槽内の洗浄液内と前記開口上部に位置する洗浄対象となるラインインクジェットヘッドとの間で昇降させるステップを含む、
ラインインクジェットヘッド洗浄方法。
【請求項８】
洗浄対象となるラインインクジェットヘッドの長さ方向に延びると共に上下方向に所定の幅を有しかつ上端に洗浄用のワイパーが固定されているワイパー固定部と、前記ワイパー固定部を包含する所定容積を有しかつ上面が開口された洗浄液槽とを備えたラインインクジェットヘッド洗浄装置におけるラインインクジェットヘッド洗浄プログラムであって、
前記ワイパー固定部を前記洗浄液槽内の洗浄液内と前記開口上部に位置する洗浄対象となるラインインクジェットヘッドとの間で昇降させるステップを、
コンピュータ装置に実行させるラインインクジェットヘッド洗浄プログラム。
【発明の詳細な説明】
【技術分野】
【０００１】
本発明は、ラインインクジェットヘッドの洗浄装置、洗浄方法および洗浄プログラムに関する。
【背景技術】
【０００２】
上記技術分野において、特許文献１には、周囲に粉体が付着したインクジェットヘッドを、定期的に洗浄することが記載されている。また、特許文献１には、インクジェットヘッドを洗浄するためのワイパーをアルコールで洗う際に、ワイパーを回転運動させて、ワイパーをアルコールに浸漬さる状態とワイパーをインクジェットヘッドに当てる状態との間で変化させる技術が開示されている。
【先行技術文献】
【特許文献】
【０００３】
【特許文献１】ＷＯ２０１１−０６７３０１号公報
【発明の概要】
【発明が解決しようとする課題】
【０００４】
しかしながら、上記文献に記載の技術では、長さのあるラインインクジェットヘッドに適用するにはワイパーの回転軸が長くなりすぎて、中だるみを生じてしまっていた。【０００５】
本発明の目的は、上述の課題を解決する技術を提供することにある。
【課題を解決するための手段】
【０００６】
上記目的を達成するため、本発明にかかるラインインクジェットヘッド洗浄装置にあっては、洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
前記ワイパー固定部を前記洗浄液槽内の洗浄液内と前記開口上部に位置する洗浄対象となるラインインクジェットヘッドとの間で昇降させる駆動手段と、
を含む。【０００７】
上記目的を達成するため、本発明にかかるラインインクジェットヘッドの洗浄方法にあっては、洗浄対象となるラインインクジェットヘッドの長さ方向に延びると共に上下方向に所定の幅を有しかつ上端に洗浄用のワイパーが固定されているワイパー固定部と、前記ワイパー固定部を包含する所定容積を有しかつ上面が開口された洗浄液槽とを備えたラインインクジェットヘッド洗浄装置におけるラインインクジェットヘッド洗浄方法であって、
前記ワイパー固定部を前記洗浄液槽内の洗浄液内と前記開口上部に位置する洗浄対象となるラインインクジェットヘッドとの間で昇降させるステップを含む。【０００８】
上記目的を達成するため、本発明にかかるラインインクジェットヘッドの洗浄プログラムにあっては、
洗浄対象となるラインインクジェットヘッドの長さ方向に延びると共に上下方向に所定の幅を有しかつ上端に洗浄用のワイパーが固定されているワイパー固定部と、前記ワイパー固定部を包含する所定容積を有しかつ上面が開口された洗浄液槽とを備えたラインインクジェットヘッド洗浄装置におけるラインインクジェットヘッド洗浄プログラムであって、
前記ワイパー固定部を前記洗浄液槽内の洗浄液内と前記開口上部に位置する洗浄対象となるラインインクジェットヘッドとの間で昇降させるステップを、コンピュータ装置に実行させる。
【発明の効果】
【０００９】
本発明によれば、長さのあるラインインクジェットヘッドを効果的に洗浄することができる。
【図面の簡単な説明】
【００１０】
【図１】本発明の第１実施形態に係るラインインクジェットヘッド洗浄装置の構成を示す図である。
【図２】本発明の第２実施形態に係るラインインクジェットヘッド洗浄装置の構成を示す図である。
【図３】本発明の第２実施形態に係るラインインクジェットヘッド洗浄装置の要部構成を説明する図である。
【図４】本発明の第２実施形態に係るラインインクジェットヘッド洗浄装置の駆動部の構成を説明する図である。
【図５】本発明の第２実施形態に係るラインインクジェットヘッド洗浄装置の駆動制御の構成を説明する図である。
【図６】本発明の第２実施形態に係るラインインクジェットヘッド洗浄装置におけるワイパー固定部材上昇時の状態を説明する図である。
【図７】本発明の第２実施形態に係るラインインクジェットヘッド洗浄装置におけるワイパー固定部材移動時の状態を説明する図である。を説明する図である。
【図８】本発明の第２実施形態に係るラインインクジェットヘッド洗浄装置におけるワイパー固定部材下降時の状態を説明する図である。
【図９】本発明の第２実施形態に係るラインインクジェットヘッド洗浄装置におけるワイパーの昇降を説明する図である。
【図１０】本発明の第３実施形態に係るラインインクジェットヘッド洗浄装置の要部構成を説明する図である。
【図１１】本発明の第３実施形態に係るラインインクジェットヘッド洗浄装置の洗浄液流通回路を説明する図である。
【図１２】本発明の第４実施形態に係るラインインクジェットヘッド洗浄装置の構成を示す分解斜視図である。
【図１３】本発明の第４実施形態に係るラインインクジェットヘッド洗浄装置におけるワイパー上昇時の状態を説明する図である。
【図１４】本発明の第４実施形態に係るラインインクジェットヘッド洗浄装置におけるワイパー下降時の状態を説明する図である。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１２】
［第１実施形態］
本発明の第１実施形態としてのラインインクジェットヘッド洗浄装置１００について、図１を用いて説明する。
【００１３】
図１に示すように、ラインインクジェットヘッド洗浄装置１００は、ワイパー固定部１０１と洗浄液槽１０３と駆動部１０４を含む。
【００１４】
ワイパー固定部１０１は、洗浄対象となるラインインクジェットヘッド１０の長さ方向に延びると共に上下方向に所定の幅を有しかつ上端に洗浄用のワイパー１０２が固定されている。
【００１５】
洗浄液槽１０３は、ワイパー固定部１０１を包含する所定の容積を有し、上面が開口されている。
【００１６】
駆動部１０４は、ワイパー固定部１０１を洗浄液槽１０３内の洗浄液内と洗浄液槽１０３の開口上部に位置するラインインクジェットヘッド１０との間で昇降させる。
【００１７】
ラインインクジェットヘッド１０の洗浄を行なうときは洗浄液槽１０３の内部に洗浄液が供給される。
【００１８】
上記構成によれば、ラインインクジェットヘッド１０の洗浄を行なう前には、ワイパー固定部１０１はワイパー１０２と共に洗浄液に浸った状態にある。この状態から、ラインインクジェットヘッド１０の洗浄を行なうときに駆動部１０４によってワイパー固定部１０１が上昇されワイパー１０２の先端がラインインクジェットヘッド１０に当接した状態でワイパー固定部１０１の移動が停止される。ワイパー１０２には洗浄液が付着しているので、ラインインクジェットヘッド１０は洗浄液によって洗浄される。
【００１９】
また、ラインインクジェットヘッド１０の洗浄によってワイパー１０２がゴミあるいはインク、粉体（砂など）などによって汚れた場合はワイパー１０２を洗浄液に浸せばよい。すなわち、駆動部１０４によってワイパー固定部１０１を下降させ、ワイパー固定部１０１とワイパー１０２を洗浄液に浸すことにより、ワイパーに付着した汚れが洗浄液によって落とされる。
【００２０】
この後、駆動部１０４によって再びワイパー固定部１０１が上昇され、ワイパー１０２の先端がラインインクジェットヘッド１０に当接した状態でワイパー固定部１０１の移動が停止される。ワイパー１０２には洗浄液が付着しているので、ラインインクジェットヘッド１０は洗浄液によって洗浄される。
【００２１】
上記のように駆動部１０４によってワイパー固定部１０１を昇降させることにより、ワイパー１０２が洗浄液に浸った状態とワイパー１０２の先端がラインインクジェットヘッド１０に当接した状態との間の移行を行なっている。このためワイパー固定部１０１に中だるみを生じることがなく、長さのあるラインインクジェットヘッド１０の洗浄装置として用いることができる。
【００２２】
［第２実施形態］
次に本発明の第２実施形態に係るラインインクジェットヘッド洗浄装置について、図２を用いて説明する。図２は、本実施形態に係るラインインクジェットヘッド洗浄装置の全体構成を説明するための図である。
【００２３】
図に示すように、ラインインクジェットヘッド洗浄装置２００は、所定の長さを有する直方体形状のワイパー固定部２０１と洗浄液槽２０５と駆動部２０６、２０７とを含む。
【００２４】
ワイパー固定部２０１は、その上面に長さ方向に延びるようにワイパー固定部２０１に埋め込まれた３つのワイパー２０２、２０３、２０４を有する。本実施形態のワイパー固定部２０１の長さは例えば１メートルに設定されている。また、ワイパー２０２〜２０４は、例えばシリコンゴムによって形成されている。
【００２５】
洗浄液槽２０５は、所定の深さを有し上面が開口された直方体形状をなし、洗浄を行なう際には洗浄液槽２０５の内部に洗浄液が入れられる。また、洗浄液槽２０５の内部には図３に示す昇降機構部が設けられている。
【００２６】
次に、図３を参照して上記昇降機構部を説明する。
【００２７】
昇降機構部はワイパー固定部２０１を上下に移動させる機構であり、支持部材３１０、３２０、３３０、３４０と溝部材３０３、３０５を有する。支持部材３１０、３２０、３３０、３４０は全て同じ長さの板状の形状を有する。また、溝部材３０３、３０５は洗浄液槽２０５の底面に固定されている。
【００２８】
また、ワイパー固定部２０１の一側面にはワイパー２０２〜２０４が延びる方向に摺動溝３０１が形成され、ワイパー固定部２０１の他側面にはワイパー２０２〜２０４が延びる方向に摺動溝３０２が形成されている。
【００２９】
支持部材３１０の一端部は、摺動溝３０１が形成されているワイパー固定部２０１の一側面の長さ方向の一端部に、係止部材３１１によって回動可能に係止されている。また、支持部材３１０の他端部は、係止部材３１２によって、溝部材３０３に形成された摺動溝３０４に摺動可能に係止されている。
【００３０】
支持部材３２０の長さ方向中央部は、支持部材３１０の長さ方向中央部に係止部材３１３によって回動可能に係止されている。さらに、支持部材３２０の一端部は、係止部材３２１によって摺動溝３０１に摺動可能に係止され、支持部材３２０の他端部は係止部材３２２によって溝部材３０３の一端部に回動可能に係止されている。
【００３１】
支持部材３３０の一端部は、摺動溝３０２が形成されているワイパー固定部２０１の他側面の長さ方向の他端部に、係止部材３３１によって回動可能に係止されている。また、支持部材３３０の他端部は、係止部材３３２によって溝部材３０５に形成された摺動溝３０６に摺動可能に係止されている。
【００３２】
支持部材３４０の長さ方向中央部は、支持部材３３０の長さ方向中央部に係止部材３３３によって回動可能に係止されている。さらに、支持部材３４０の一端部は、係止部材３４１によって摺動溝３０２に摺動可能に係止され、支持部材３４０の他端部は係止部材３４２によって溝部材３０５の他端部に回動可能に係止されている。
【００３３】
また、支持部材３１０の中央部の係止部材３１３は昇降部材３５０の下水平部３５３に形成された水平溝３５４に溝に沿って摺動可能に係止されている。さらに、昇降部材３５０の下水平部３５３の一端は垂直部３５２の下端に接続され、垂直部３５２の上端は上水平部３５１の他端に接続されている。
【００３４】
また、支持部材３３０の中央部の係止部材３３３は昇降部材３６０の下水平部３６３に形成された水平溝３６４に溝に沿って摺動可能に係止されている。さらに、昇降部材３６０の下水平部３６３の他端は垂直部３６２の下端に接続され、垂直部３６２の上端は上水平部３６１の一端に接続されている。
【００３５】
次に、昇降機構部を上下に駆動する駆動部の一例に関して、図４を参照して説明する。図４において、上記構成と同一部分は同一符号をもって表わし、その詳細な説明を省略する。
【００３６】
図４は昇降機後部によってワイパー固定部２０１を上昇させラインインクジェットヘッド１０の底面すなわちインクジェットノズルにワイパー２０４が当接する状態を描いてある。図に示すように、洗浄液槽２０５の一端部外側には昇降部材３５０を昇降する駆動部２０６が設けられ、洗浄液槽２０５の他端部外側には昇降部材３６０を昇降する駆動部２０７が設けられている。
【００３７】
昇降部材３５０の上水平部３５１の一端には下方へ垂直に延びる直線歯車４１１の上端が接続されている。直線歯車４１１の歯はモータ４１４の回動軸に取り付けられた歯車４１３に噛み合わせてあり、噛み合いがゆるまないようにローラー４１２によって直線歯車４１１が支えられている。
【００３８】
昇降部材３６０の上水平部３６１の他端には下方へ垂直に延びる直線歯車４２１の上端が接続されている。直線歯車４２１の歯はモータ４２４の回動軸に取り付けられた歯車４２３に噛み合わせてあり、噛み合いがゆるまないようにローラー４２２によって直線歯車４２１が支えられている。
【００３９】
また、図５に示すように駆動部２０６、２０７のモータ４１４、４１２は、コンピュータ装置からなる制御部５１０によって互いに同期して動作するようになっている。
【００４０】
上記構成により、昇降部材３５０、３６０を情報へ移動すると図６に示すようにワイパー２０４がラインインクジェットヘッド１０の底部に当接する。昇降部材３５０、３６０をやや下方へ移動すると図７に示すようにワイパー２０４はラインインクジェットヘッド１０から離れる。さらに昇降部材３５０、３６０を下方へ移動すると図８に示すようにワイパー２０４は洗浄液槽２０５内の洗浄液４３０に浸る。
【００４１】
したがって、上記状態を図９に示す順序にて数回繰り返すことにより、ラインインクジェットヘッド１０のノズルについた汚れはワイパー２０４によって洗浄され、ワイパー２０４は洗浄液４３０によって洗浄される。
【００４２】
上記実施形態では駆動部２０６、２０７によってワイパー固定部２０１を昇降させることにより、ワイパー２０２〜２０４が洗浄液４３０に浸った状態とワイパー２０２〜２０４の先端がラインインクジェットヘッド１０に当接した状態との間の移行を行なっている。このためワイパー固定部２０１に中だるみを生じることがなく、長さのあるラインインクジェットヘッド１０の洗浄装置として用いることができる。さらに、ワイパー固定部２０１を回転する必要がないため、昇降させスペースを有する洗浄液槽２０５で済むので、ワイパーを回転させるときよりも洗浄液槽２０５の容積を小さくすることができる。これにより、本実施形態のラインインクジェットヘッド洗浄装置２００を備えたラインインクジェットプリンタ装置の形状も小型化することができる。
【００４３】
［第３実施形態］
次に本発明の第３実施形態に係るラインインクジェットヘッド洗浄装置について、図１０を用いて説明する。図１０は、本実施形態に係るラインインクジェットヘッド洗浄装置１０００の要部構成を説明するための図である。本実施形態に係るラインインクジェットヘッド洗浄装置１０００は、上記第２実施形態と比べると、洗浄液槽２０５が供給口１００１と排出口１００２を有する点で異なる。その他の構成および動作は、第２実施形態と同様であるため、同じ構成および動作については同じ符号を付してその詳しい説明を省略する。
【００４４】
洗浄を行なうときは、吸入口１１０１およびフィルタ１１０２を通してポンプ１１０３により洗浄液が吸入される。さらに、吸入された洗浄液はバルブ１１０４と逆止弁１１０５とＴ型継ぎ手１１０６とポンプ１１０７とを通って供給口１００１から洗浄液槽２０５に供給される。
【００４５】
洗浄が終わると洗浄液槽２０５内の洗浄液は排出口１００２から排出されフィルタ１１１４とポンプ１１１５とＴ型継ぎ手１１１６とバルブ１１１３とＴ型継ぎ手１１１０とポンプ１１１１とを通って洗浄液格納槽１１１２に保管される。
【００４６】
洗浄液格納槽１１１２に保管されている洗浄液を用いて洗浄を行なうときは、洗浄液格納槽１１１２内の洗浄液が洗浄液槽２０５に供給される。すなわち、洗浄液格納槽１１１２内の洗浄液は、ポンプ１１１１とＴ型継ぎ手１１１０とバルブ１１０９と逆止弁１１０８とＴ型継ぎ手１１０６とポンプ１１０７とを通って供給口１００１から洗浄液槽２０５に供給される。
【００４７】
また、洗浄液槽２０５内の汚れた洗浄液を処分するときは、洗浄液槽２０５内の洗浄液は。排出口１００２から排出され、フィルタ１１１４とポンプ１１１５とＴ型継ぎ手１１１６とバルブ１１１７とフィルタ１１１８とポンプ１１１９とを通って排出口１１２０から排出される。
【００４８】
また、洗浄液格納槽１１１２内の汚れた洗浄液を処分するときは、洗浄液格納槽１１１２内の洗浄液は、ポンプ１１１１とバルブ１１１３とＴ型継ぎ手１１１６とバルブ１１１７とフィルタ１１１８とポンプ１１１９とを通って排出口１１２０から排出される。
【００４９】
上記の構成により、揮発性が高いアルコール、グリコールエーテルなどからなる洗浄液を、洗浄を行なわないときに洗浄液格納槽１１１２に保管しておくことができるので、安全性が高まる。
【００５０】
［第４実施形態］
次に本発明の第４実施形態に係るラインインクジェットヘッド洗浄装置について、図１２乃至１４を用いて説明する。図１２は、本実施形態に係るラインインクジェットヘッド洗浄装置の構成を説明するための要部分解斜視図である。
【００５１】
図１２に示すように、本実施形態のラインインクジェットヘッド洗浄装置１２００はワイパー固定部１２０１と摺動部材１２２０、１２３０、１２４０、１２５０と支持部材１２６０、１２７０と洗浄液槽１２８０と駆動部１２９１、１２９２とを含む。
【００５２】
ワイパー固部材１２０１は、例えば長さが約１メートルの直方体形状をなし上面には長さ方向に延びる３つのワイパー１２０２〜１２０４が所定間隔をあけて並列に固定されている。
【００５３】
ワイパー固定部１２０１の一側面の一端部には他端側から一端側に下降して傾斜する溝１２１２を有する溝部材１２１１が固定されている。さらに、ワイパー固定部１２０１の一側面の他端部には一端側から他端側に下降して傾斜する溝１２１４を有する溝部材１２１３が固定されている。
【００５４】
また、ワイパー固定部１２０１の他側面の一端部には他端側から一端側に下降して傾斜する溝１２１６を有する溝部材１２１５が固定されている。さらに、ワイパー固定部１２０１の他側面の他端部には一端側から他端側に下降して傾斜する溝１２１８を有する溝部材１２１７が固定されている。
【００５５】
摺動部材１２２０は、摺動板１２２１を有し、摺動板１２２１の他方の面の下部所定位置には溝部材１２１１の溝１２１２に係止し、溝に沿って摺動する突部１２２２を有する。さらに、摺動板１２２１の一方の面の上部には板状の支持部材１２６０の一端側上部に水平に形成された溝１２６１に係止して摺動する摺動竿１２２３の他端部が固定されている。また、摺動竿１２２３の一端部には直線歯車１２２４が形成されている。
【００５６】
摺動部材１２３０は、摺動板１２３１を有し、摺動板１２３１の他方の面の下部所定位置には溝部材１２１３の溝１２１４に係止し、溝１２１４に沿って摺動する突部１２３２を有する。さらに、摺動板１２３１の一方の面の上部には支持部材１２６０の他端側上部に水平に形成された溝１２６２に係止して摺動する摺動竿１２３３の一端部が固定されている。また、摺動竿１２３３の他端部には直線歯車１２３４が形成されている。
【００５７】
摺動部材１２４０は、摺動板１２４１を有し、摺動板１２４１の他方の面の下部所定位置には溝部材１２１５の溝１２１６に係止し、１２１６溝に沿って摺動する突部１２４２を有する。さらに、摺動板１２４１の一方の面の上部には板状の支持部材１２７０の一端側上部に水平に形成された溝１２７１に係止して摺動する摺動竿１２４３の他端部が固定されている。また、摺動竿１２４３の一端部には直線歯車１２４４が形成されている。
【００５８】
摺動部材１２５０は、摺動板１２５１を有し、摺動板１２５１の他方の面の下部所定位置には溝部材１２１７の溝１２１８に係止し、溝１２１８に沿って摺動する突部１２５２を有する。さらに、摺動板１２５１の一方の面の上部には支持部材１２７０の他端側上部に水平に形成された溝１２７２に係止して摺動する摺動竿１２５３の一端部が固定されている。また、摺動竿１２５３の他端部には直線歯車１２５４が形成されている。
【００５９】
洗浄液槽１２８０の一方の内面側の一端部には上下方向に延びる溝１２８１が形成され、他端部には上下方向に延びる溝１２８２が形成されている。また、洗浄液槽１２８０の他方の内側面側の一端部には上下方向に延びる溝１２８３が形成され、他端部には上下方向に延びる溝１２８４が形成されている。
【００６０】
また、洗浄液槽１２８０の一端側には駆動部１２９１が設けられ、洗浄液槽１２８０の他端側には駆動部１２９２が設けられている。
【００６１】
上記構成では、各摺動部材１２２０〜１２５０の突部１２２２〜１２５２が溝部材１２１１、１２１３、１２１５、１２１７の溝１２１２、１２１４、１２１６、１２１８に係止する。さらに、各摺動部材１２２０〜１２５０の摺動竿１２２３〜１２５３を支持部材１２６０の溝１２６１、１２６２と支持部材１２７０の溝１２７１、１２７２に係止する。この状態で、支持部材１２６０の両端部を溝１２８１、１２８２に挿入し、支持部材１２７０の両端部を溝１２８３、１２８４に挿入する。これによりワイパー固定部１２０１は上下に昇降可能に係止された状態になる。
【００６２】
すなわち、図１３に示すように、駆動部１２９１には摺動竿１２２３の直線歯車１２２４に噛み合う歯車１３１１が回動軸に取り付けられたモータ１３１２が設けられている。図示しないが同様に摺動竿１２４３の直線歯車１２４４に噛み合う歯車が回動軸に取り付けられたモータが設けられている。さらに、駆動部１２９２には摺動竿１２３３の直線歯車１２３４に噛み合う歯車１３２１が回動軸に取り付けられたモータ１３２２が設けられている。図示しないが同様に摺動竿１２５３の直線歯車１２５４に噛み合う歯車が回動軸に取り付けられたモータが設けられている。これらの４つのモータは図示せぬコンピュータ装置からなる制御部によって同期して駆動される。
【００６３】
図１３では、摺動部材１２２０、１２４０をワイパー固定部１２０１の一端側方向に移動し、摺動部材１２３０、１２５０をワイパー固定部１２０１の他端側方向に移動した状態を示している。この状態では、各摺動部材１２２０〜１２５０の突部１２２１〜１２５１は、溝部材１２１１、１２１３、１２１５、１２１７の溝１２１２、１２１４、１２１６、１２１８の下部に位置するので、ワイパー固定部１２０１は上昇する。これにより、ワイパー１２０２〜１２０４はラインインクジェットヘッド１０の底面に当接するので、インクジェットノズルの洗浄を行なうことができる。
【００６４】
一方、図１４では、摺動部材１２２０、１２４０をワイパー固定部１２０１の他端側方向に移動し、摺動部材１２３０、１２５０をワイパー固定部１２０１一他端側方向に移動した状態を示している。この状態では、各摺動部材１２２０〜１２５０の突部１２２１〜１２５１は、溝部材１２１１、１２１３、１２１５、１２１７の溝１２１２、１２１４、１２１６、１２１８の上部に位置するので、ワイパー固定部１２０１は下降する。これにより、ワイパー１２０２〜１２０４は洗浄液槽１２８０内の洗浄液４３０に浸るのでワイパー１２０２〜１２０４の汚れを洗浄液によって落とすことができる。
【００６５】
上記実施形態によっても第２実施形態と同様の効果を得ることができる。
【００６６】
なお、第４実施形態のラインインクジェットヘッド洗浄装置１２００に第３実施形態と同様に洗浄液を保管する洗浄液格納槽への流通回路を設けてもよい。
【００６７】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６８】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2017042922.tif 000003
【図２】
2017042922.tif 000004
【図３】
2017042922.tif 000005
【図４】
2017042922.tif 000006
【図５】
2017042922.tif 000007
【図６】
2017042922.tif 000008
【図７】
2017042922.tif 000009
【図８】
2017042922.tif 000010
【図９】
2017042922.tif 000011
【図１０】
2017042922.tif 000012
【図１１】
2017042922.tif 000013
【図１２】
2017042922.tif 000014
【図１３】
2017042922.tif 000015
【図１４】
2017042922.tif 000016
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
駆動部と該駆動部によって昇降される昇降機構部とを含み、前記洗浄液槽内の洗浄液に前記ワイパーが浸る状態から、前記開口上部に位置する洗浄対象となるラインインクジェットヘッドに前記ワイパーが当接する状態まで、前記ワイパー固定部を昇降させる駆動手段と、
を備えたラインインクジェットヘッド洗浄装置であって、
前記昇降機構部は、
前記ワイパー固定部の長さ方向に延びる２つの側面のそれぞれに長さ方向に延びるように形成された所定長さの第１および第２摺動溝と、
前記容器の底部に固定され、前記第１摺動溝に対して平行な第３摺動溝が形成された第１溝部材と、
前記容器の底部に固定され、前記第２摺動溝に対して平行な第４摺動溝が形成された第２溝部材と、
所定の長さを有し、前記第１摺動溝が形成されているワイパー固定部の一側面の長さ方向の一端に、一端部が回動可能に係止されていると共に、他端部が前記第３摺動溝に摺動可能に係止されている第１支持部材と、
前記所定長さを有し、長さ方向の中央が前記第１支持部材の長さ方向中央に回動可能に係止され、一端部が前記第１摺動溝に摺動可能に係止されると共に他端部が前記第１溝部材の一端に回動可能に係止されている第２支持部材と、
前記所定の長さを有し、前記第２摺動溝が形成されているワイパー固定部の他側面の長さ方向の他端に、一端部が回動可能に係止されていると共に、他端部が前記第４摺動溝に摺動可能に係止されている第３支持部材と、
前記所定長さを有し、長さ方向の中央が前記第３支持部材の長さ方向中央に回動可能に係止され、一端部が前記第２摺動溝に摺動可能に係止されると共に他端部が前記第２溝部材の他端部に回動可能に係止されている第４支持部材と、
を含むラインインクジェットヘッド洗浄装置。
【請求項２】
前記第１支持部材の中央と前記第２支持部材の中央を回動可能に係止する昇降部材と、前記第３支持部材の中央と前記第４支持部材の中央を回動可能に係止する昇降部材とを上下方向に移動させる手段をさらに含む、請求項１に記載のラインインクジェットヘッド洗浄装置。
【請求項３】
洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
駆動部と該駆動部によって昇降される昇降機構部とを含み、前記洗浄液槽内の洗浄液に前記ワイパーが浸る状態から、前記開口上部に位置する洗浄対象となるラインインクジェットヘッドに前記ワイパーが当接する状態まで、前記ワイパー固定部を昇降させる駆動手段と、
を備えたラインインクジェットヘッド洗浄装置であって、
前記昇降機構部は、
前記ワイパー固定部の長さ方向に延びる２つの側面の双方の一端部に固定され、斜め下方向に傾斜した摺動溝を有する一端側溝部材と、
前記ワイパー固定部の長さ方向に延びる２つの側面の双方の他端部に固定され、斜め下方向に傾斜した摺動溝を有する他端側溝部材と、
前記一端側溝部材および他端側溝部材のそれぞれに対応して設けられ、前記摺動溝に係合して前記摺動溝に沿って摺動する突部を有する可動部材と、
前記可動部材の全ての突部が前記摺動溝の上下同じ方向に連動して摺動するように前記可動部材の全てを前記ワイパー固定部の長さ方向に往復移動させる移動手段と、
を含むラインインクジェットヘッド洗浄装置。
【請求項４】
前記他端側溝部材に形成されている摺動溝は、前記一端側溝部材と対称となるように斜め下方向に傾斜している、請求項３に記載のラインインクジェットヘッド洗浄装置。
【手続補正２】
【補正対象書類名】明細書
【補正対象項目名】０００６
【補正方法】変更
【補正の内容】
【０００６】
上記目的を達成するため、本発明にかかるラインインクジェットヘッド洗浄装置にあっては、洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
駆動部と該駆動部によって昇降される昇降機構部とを含み、前記洗浄液槽内の洗浄液に前記ワイパーが浸る状態から、前記開口上部に位置する洗浄対象となるラインインクジェットヘッドに前記ワイパーが当接する状態まで、前記ワイパー固定部を昇降させる駆動手段と、
を備えたラインインクジェットヘッド洗浄装置であって、
前記昇降機構部は、
前記ワイパー固定部の長さ方向に延びる２つの側面のそれぞれに長さ方向に延びるように形成された所定長さの第１および第２摺動溝と、
前記容器の底部に固定され、前記第１摺動溝に対して平行な第３摺動溝が形成された第１溝部材と、
前記容器の底部に固定され、前記第２摺動溝に対して平行な第４摺動溝が形成された第２溝部材と、
所定の長さを有し、前記第１摺動溝が形成されているワイパー固定部の一側面の長さ方向の一端に、一端部が回動可能に係止されていると共に、他端部が前記第３摺動溝に摺動可能に係止されている第１支持部材と、
前記所定長さを有し、長さ方向の中央が前記第１支持部材の長さ方向中央に回動可能に係止され、一端部が前記第１摺動溝に摺動可能に係止されると共に他端部が前記第１溝部材の一端に回動可能に係止されている第２支持部材と、
前記所定の長さを有し、前記第２摺動溝が形成されているワイパー固定部の他側面の長さ方向の他端に、一端部が回動可能に係止されていると共に、他端部が前記第４摺動溝に摺動可能に係止されている第３支持部材と、
前記所定長さを有し、長さ方向の中央が前記第３支持部材の長さ方向中央に回動可能に係止され、一端部が前記第２摺動溝に摺動可能に係止されると共に他端部が前記第２溝部材の他端部に回動可能に係止されている第４支持部材と、
を含む。
【手続補正３】
【補正対象書類名】明細書
【補正対象項目名】０００７
【補正方法】変更
【補正の内容】
【０００７】
上記目的を達成するため、本発明にかかる他のラインインクジェットヘッド洗浄装置にあっては、
洗浄対象となるラインインクジェットヘッドの長さ方向に延びると共に上下方向に所定の幅を有しかつ上端に洗浄用のワイパーが固定されているワイパー固定部と、
前記ワイパー固定部を包含する所定容積を有しかつ上面が開口された洗浄液槽と、
駆動部と該駆動部によって昇降される昇降機構部とを含み、前記洗浄液槽内の洗浄液に前記ワイパーが浸る状態から、前記開口上部に位置する洗浄対象となるラインインクジェットヘッドに前記ワイパーが当接する状態まで、前記ワイパー固定部を昇降させる駆動手段と、
を備えたラインインクジェットヘッド洗浄装置であって、
前記昇降機構部は、
前記ワイパー固定部の長さ方向に延びる２つの側面の双方の一端部に固定され、斜め下方向に傾斜した摺動溝を有する一端側溝部材と、
前記ワイパー固定部の長さ方向に延びる２つの側面の双方の他端部に固定され、斜め下方向に傾斜した摺動溝を有する他端側溝部材と、
前記一端側溝部材および他端側溝部材のそれぞれに対応して設けられ、前記摺動溝に係合して前記摺動溝に沿って摺動する突部を有する可動部材と、
前記可動部材の全ての突部が前記摺動溝の上下同じ方向に連動して摺動するように前記可動部材の全てを前記ワイパー固定部の長さ方向に往復移動させる移動手段と、
を含む。
【手続補正４】
【補正対象書類名】明細書
【補正対象項目名】０００８
【補正方法】削除
【補正の内容】
【国際調査報告】
2017042922.tif 000017
2017042922.tif 000018
2017042922.tif 000019
2017042922.tif 000020